(57)【特許請求の範囲】
【請求項１】
複数のパチンコ機が列設されると共に、獲得した景品玉を計数する計数装置が前記パチンコ機毎に対応して当該パチンコ機の下方に設置されると共に、前記計数装置で計数されたパチンコ玉及び前記パチンコ機で使用されたパチンコ玉をまとめて回収するアウト玉回収樋が内蔵されたパチンコ島台において、
前記アウト玉回収樋側に向けて下り傾斜し且つ該アウト玉回収樋の下流側に向けて下り傾斜する傾斜底板と、該傾斜底板と前記アウト玉回収樋とを仕切る仕切板と、該仕切板の下流端に形成され前記計数装置の計数排出口から排出されるパチンコ玉を前記アウト玉回収樋に排出する排出開口部と、からなり、前記計数装置から前記傾斜底板に排出されたパチンコ玉を前記傾斜底板の傾斜及び前記仕切板に沿って流下させることにより当該パチンコ玉の流下方向を前記アウト玉回収樋上のパチンコ玉の流下方向と略同一方向に変換する変流機構と、
前記排出開口部から前記アウト玉回収樋へのパチンコ玉の排出を妨げないように、前記アウト玉回収樋の側方を流れるパチンコ玉を当該アウト玉回収樋の中央方向に変換するアウト玉変流機構と、を備え、
前記計数装置の計数排出口から排出されるパチンコ玉は、前記変流機構で流下方向を変換されて前記排出開口部に導かれた後、前記アウト玉変流機構によって前記アウト玉回収樋上のパチンコ玉にスムーズに合流されることを特徴とするパチンコ島台。
【請求項２】
前記変流機構の前記傾斜底板の上方に、前記計数排出口から排出されるパチンコ玉を前記傾斜底板全体に分散させるための分散機構を設けたことを特徴とする請求項１記載のパチンコ島台。
【請求項３】
前記傾斜底板上面に、前記計数排出口から排出されるパチンコ玉の落下衝撃を緩和するための段差部を設けたことを特徴とする請求項１又は請求項２記載のパチンコ島台。
【発明の詳細な説明】
【０００１】
【発明の属する技術分野】
本発明は、複数のパチンコ機が列設されると共に、獲得した景品玉を計数する計数装置が前記パチンコ機毎に対応して当該パチンコ機の下方に設置されると共に、前記計数装置で計数されたパチンコ玉及び前記パチンコ機で使用されたパチンコ玉をまとめて回収するアウト玉回収樋が内蔵されたパチンコ島台に関するものである。
【０００２】
【従来の技術】
近年、遊技者が獲得したパチンコ玉を景品交換所に運ぶことなく、パチンコ機毎に対応して設置された計数装置を介して直接パチンコ島台に返却するキャリーレスシステム（個別ＪＣともいう）を導入するパチンコホールが年々増加する傾向にある。このようなキャリーレスシステムのパチンコ島台では、パチンコ機の裏面側から排出される使用済みのパチンコ玉（アウト玉等）ばかりでなく景品玉も計数装置を介してパチンコ島台に返却されるため、多量のパチンコ玉がアウト玉回収樋で回収されていた。
【０００３】
しかして、この計数装置から排出されたパチンコ玉がアウト玉回収樋と合流する構造としては、特開平１１−９８２８号に示されるもののように、計数装置から排出されたパチンコ玉がアウト玉回収樋上のパチンコ玉の流下方向に対して側方の垂直方向から排出し、合流したり、あるいは、特開平９−２７１５７９号に示されるもののように、計数装置から排出されるパチンコ玉がアウト玉回収樋上のパチンコ玉の流下方向に対して上方から排出し、合流するものであった。
【０００４】
【発明が解決しようとする課題】
ところが、上記のように、計数装置から排出されたパチンコ玉がアウト玉回収樋上のパチンコ玉の流下方向に対して側方から垂直方向に、あるいは、上方から合流するものである場合、計数装置から排出されたパチンコ玉がアウト玉回収樋上のパチンコ玉の流下を妨げてしまうという問題があった。また、計数装置から排出されるパチンコ玉がアウト玉回収樋上のパチンコ玉の流下方向に対して側方の垂直方向から排出し、合流するもので、向かい合う一対のパチンコ機の計数装置から同時にパチンコ玉が排出された場合（例えば、ホールの閉店間際等）、一対のパチンコ機からのパチンコ玉同士の衝突により、大量のパチンコ玉が一箇所に集中することとなり、一層アウト玉回収樋上のパチンコ玉の流下を妨げたり、あるいは、騒音が発生するという問題もあった。更に、計数装置から排出されるパチンコ玉がアウト玉回収樋上のパチンコ玉の流下方向に対して上方から排出し、合流するものである場合、常にアウト玉回収樋上の同じ箇所にパチンコ玉が落下するため、アウト玉回収樋上のパチンコ玉が落下した箇所が損傷，破損するという問題もあった。なお、上述の「アウト玉回収樋上のパチンコ玉の流下を妨げる」ことによる問題とは、例えば、アウト玉回収樋上のパチンコ玉の流下を妨げると、それより上流側のアウト玉回収樋上にパチンコ玉を排出している計数装置の排出口付近がパチンコ玉で一杯になり、その結果、計数装置からのパチンコ玉の排出が悪くなり、遊技者のイライラの原因になり、不満を与えることである。そこで、本発明は、上記した事情に鑑みなされたもので、その目的とするところは、パチンコ機からの排出玉とアウト玉回収樋上を流下するパチンコ玉をスムーズに合流させることにより、パチンコ島台内のパチンコ玉の循環を妨げないパチンコ島台を提供することにある。
【０００５】
【課題を解決するための手段】
上記した目的を達成するために、請求項１に記載の発明においては、複数のパチンコ機が列設されると共に、獲得した景品玉を計数する計数装置が前記パチンコ機毎に対応して当該パチンコ機の下方に設置されると共に、前記計数装置で計数されたパチンコ玉及び前記パチンコ機で使用されたパチンコ玉をまとめて回収するアウト玉回収樋が内蔵されたパチンコ島台において、前記アウト玉回収樋側に向けて下り傾斜し且つ該アウト玉回収樋の下流側に向けて下り傾斜する傾斜底板と、該傾斜底板と前記アウト玉回収樋とを仕切る仕切板と、該仕切板の下流端に形成され前記計数装置の計数排出口から排出されるパチンコ玉を前記アウト玉回収樋に排出する排出開口部と、からなり、前記計数装置から前記傾斜底板に排出されたパチンコ玉を前記傾斜底板の傾斜及び前記仕切板に沿って流下させることにより当該パチンコ玉の流下方向を前記アウト玉回収樋上のパチンコ玉の流下方向と略同一方向に変換する変流機構と、前記排出開口部から前記アウト玉回収樋へのパチンコ玉の排出を妨げないように、前記アウト玉回収樋の側方を流れるパチンコ玉を当該アウト玉回収樋の中央方向に変換するアウト玉変流機構と、を備え、前記計数装置の計数排出口から排出されるパチンコ玉は、前記変流機構で流下方向を変換されて前記排出開口部に導かれた後、前記アウト玉変流機構によって前記アウト玉回収樋上のパチンコ玉にスムーズに合流されることを特徴とするものである。このように構成することにより、アウト玉回収樋上のパチンコ玉の流下を妨げることなく計数装置から排出されるパチンコ玉をアウト玉回収樋に合流させることができるため、パチンコ島台内のパチンコ玉の循環を妨げることはない。また、向かい合う一対のパチンコ機から同時にパチンコ玉が排出された場合でも、一対のパチンコ機からのパチンコ玉同士の衝突もなくなるため、パチンコ玉が一箇所に集中することによるアウト玉回収樋上のパチンコ玉の流下の妨げを解消し、且つ騒音も発生することがない。更に、計数装置から排出されるパチンコ玉は、アウト玉回収樋に対して上方から落下するものではないため、アウト玉回収樋が破損，損傷することがなく、アウト玉回収樋上のパチンコ玉の流下が停止する等のトラブルを防止することができる。
【０００６】
また、前記変流機構は、前記アウト玉回収樋側に向けて下り傾斜し且つ該アウト玉回収樋の下流側に向けて下り傾斜する傾斜底板と、該傾斜底板と前記アウト玉回収樋とを仕切る仕切板と、該仕切板の下流端に形成され前記計数装置の計数排出口から排出されるパチンコ玉を前記アウト玉回収樋に排出する排出開口部と、からなり、前記計数装置の計数排出口から排出されたパチンコ玉を前記排出開口部に導くことにより、計数装置から排出されるパチンコ玉は、傾斜底板及び仕切板に沿って排出開口部に向けて流下し、排出開口部から排出される際に、アウト玉回収樋上のパチンコ玉の流下方向と略同一方向で合流するため、アウト玉回収樋に対して、スムーズに合流することとなる。また、アウト玉回収樋上のパチンコ玉の流下量が多いときや、あるいは、アウト玉回収樋の破損，損傷等のトラブルにより、排出開口部からのパチンコ玉の排出がスムーズに行えない場合にも、計数排出口と前記アウト玉回収樋との間に形成される空間内にパチンコ玉を一旦貯留することができるため、計数装置からのパチンコ玉の排出が妨げられることがない。
【０００７】
更に、前記排出開口部から前記アウト玉回収樋へのパチンコ玉の排出を妨げないように、前記アウト玉回収樋の側方を流れるパチンコ玉を当該アウト玉回収樋の中央方向に変換するアウト玉変流機構を備えることにより、アウト玉回収樋上に、パチンコ玉が流下してこない空間が形成されるため、変流機構から排出されるパチンコ玉とアウト玉回収樋上を流下するパチンコ玉が衝突することがなく、スムーズに合流することができる。
【０００８】
また、請求項２に記載の発明においては、前記変流機構の前記傾斜底板の上方に、前記計数排出口から排出されるパチンコ玉を前記傾斜底板全体に分散させるための分散機構を設けたことを特徴とするものである。このように構成することにより、計数排出口と傾斜底板との間隔が比較的短い場合であっても、計数排出口からのパチンコ玉を傾斜底板全体に排出させることができるため、計数排出口とアウト玉回収樋との間に形成される空間を有効に利用することができる。更に、計数排出口付近が排出されてくるパチンコ玉で一杯になることを防止できるため、計数装置からのパチンコ玉の排出が妨げられ、排出されにくくなるというおそれはなくなる。
【０００９】
また、請求項３に記載の発明においては、前記傾斜底板上面に、前記計数排出口から排出されるパチンコ玉の落下衝撃を緩和するための段差部を設けたことを特徴とするものである。このように構成することにより、計数排出口から排出されるパチンコ玉が直接傾斜底板上に落下することがないため、落下衝撃による騒音を防止することができると共に、傾斜底板の破損，損傷を防止することができる。
【００１０】
【００１１】
【００１２】
【発明の実施の形態】
以下、図面を参照して本発明の実施形態について説明する。まず、図１及び図２を参照して本実施形態に係るパチンコ島台１の概略構成について説明する。図１は、本実施形態に係るパチンコ島台１の内部を示す側面図であり、図２は、パチンコ機２が設置される部分のパチンコ島台１の拡大図である。
【００１３】
図において、パチンコ島台１は、周知のように、直方体状に枠組み構成され、その長手方向両面に複数のパチンコ機２を背向列設するようになっている。また、パチンコ島台１には、各パチンコ機２に挟持されるように台間玉貸機３が設けられており、この台間玉貸機３はパチンコ機２と１対１対応するように設けられていると共に、硬貨または紙幣、あるいはプリペイドカードまたは貯玉カードによりパチンコ玉を貸し出すようになっている。この１対１対応して設けられたパチンコ機２と台間玉貸機３から構成されるパチンコ機ユニットＡが、本実施形態においては、パチンコ島台１の端部からＡ１〜Ａ１０の順に、後述する玉揚送装置４を挟んで左右１０台ずつ（図の左側は、一部省略）で、パチンコ島台１の両側面に計４０台設置されているが、遊技場によってはそれ以上又は以下の台数のパチンコ機ユニットが設置される場合もある。
【００１４】
更に、Ａ１〜Ａ１０の各パチンコ機２には、遊技により獲得した景品玉を計数するための後述する計数手段としての計数装置８３及び景品玉をレシートまたはカード等に記憶する景品玉記憶装置（図示しない）等が設けられているため、遊技者は、遊技によって獲得した景品玉をレシートまたはカード等に記憶させて景品と交換することができ、パチンコ玉を景品交換所に運ぶ必要がなくなる。なお、前記カード等にはカードを識別するために必要なＩＤ番号が記憶されていると共に、各パチンコ機２毎にカード盗難防止装置も設けられているので、カード等が悪用されたり、盗難される心配はない。
【００１５】
また、パチンコ島台１のほぼ中央には、玉揚送装置４が収納される玉揚送装置収納部５が立設されている。本実施形態に係る玉揚送装置４は、帯状の搬送ベルトによってパチンコ玉を揚送するものであり、その帯状の搬送ベルトがパチンコ島台１の長手方向と直交するように配置されて下部の導入樋４ａから導入したパチンコ玉を上部に研磨しながら揚送して上部の排出口４ｂから次に説明する上部タンク６に排出するものである。
【００１６】
玉揚送装置４の上部には、揚送されたパチンコ玉を一時的に貯留する上部タンク６，７が設けられ、該上部タンク６，７からは、各パチンコ機２にパチンコ玉を供給するための補給樋８が、パチンコ島台１の長手方向端部に向かって傾斜状に設けられている。玉揚送装置４により揚送されたパチンコ玉は、まず上部タンク６（以下、上部主タンク６という）につながる補給樋８に最優先で送られ、上部主タンク６でオーバーフローしたパチンコ玉は次に上部タンク７（以下、上部従タンク７という）につながる補給樋８に送られ、更に上部従タンク７でオーバーフローしたパチンコ玉は、図示しないオーバーフローダクト及び中継樋１４を介してパチンコ島台１の下部にある貯留タンク１３の溢れ玉誘導樋４５に誘導されるようになっている。溢れ玉誘導樋４５に誘導されたパチンコ玉は、貯留タンク１３の底板４９（図３参照）へ落下し、貯留タンク１３に貯留されることとなるが、この貯留タンク１３に貯留されたパチンコ玉は、玉揚送装置４により研磨されているため、常にきれいにされた状態のパチンコ玉である。なお、オーバーフローダクトは、玉揚送装置収納部５に一体的に形成されている。
【００１７】
また、補給樋８には、各パチンコ機２にパチンコ玉を誘導する分配シュート９が各パチンコ機２に対応して設けられている。分配シュート９により取り込まれたパチンコ玉は、分配シュートの下方に位置する計数装置（図示しない）により玉数が計数された後、補給装置１０を介してパチンコ機２の背面上部に設けられた賞球タンクに供給され、景品玉や遊技玉として使用される。また、補給樋８の下流端には、玉抜き用分離器１１が設けられており、補給樋８の下流端まで流下してきたパチンコ玉は、玉抜き用分離器１１から蛇腹１２を介して後述するアウト玉回収樋１７へ導出されることにより、パチンコ玉がパチンコ島台１内を循環している。
【００１８】
一方、パチンコ機２から排出される使用済みのパチンコ玉（アウト玉）は、計数機能を有する受入手段としてのアウト玉回収ボックス１６で回収された後、下方に排出される。アウト玉回収ボックス１６から排出されたパチンコ玉は、パチンコ島台１の両端部からそのほぼ中央に立設される玉揚送装置４の下部に向けて下り傾斜状に設けられる前記アウト玉回収樋１７上あるいは後述するアウト玉回収底板９０上に落下せしめられる。
【００１９】
また、パチンコ機２の下部には、パチンコ島台１に対してほぼ直交するように外側に向かってカウンター台８６が突設されている。該カウンター台８６には、玉箱８７が載置されると共に、遊技者が遊技で獲得し、玉箱８７に貯留した景品玉を返却する機能が付設されており、景品玉落下口８８（図５参照）を介して玉箱８７から返却された景品玉は、計数装置８３で計数した後、後述する変流機構を介してアウト玉回収樋１７に落下せしめられる。
【００２０】
なお、アウト玉回収樋１７は、計数装置８３で計数されたパチンコ玉及びパチンコ機２から排出される使用済みのパチンコ玉をまとめて回収するものであり、図５乃至図７に示すように、簀の子状の誘導レールがパチンコ島台１の中央に長手方向に沿って敷設されている。また、図１に示すように、玉揚送装置４を挟んで右側のアウト玉回収樋１７の下流端は、後述する中継タンク１５に接続されており、玉揚送装置４を挟んで左側のアウト玉回収樋１７は、中継タンク１５と同様の機能を持つ中継タンク１８に接続され、中継タンク１８は、連結樋１９を介して貯留タンク１３に接続されている。なお、アウト玉回収樋１７は、簀の子状の誘導レールに限らず、ベルトコンベア等により構成されるものであってもよい。
【００２１】
また、図示の実施形態においては、玉揚送装置４の一側側方に貯留タンク１３が設けられているが、貯留タンク１３は、パチンコ機２の横幅寸法の約３〜４台分に相当する長さに形成されており、パチンコ島台１に設置される複数の玉箱８７の総容量を許容できる程度の大きさに設計されている。
【００２２】
そこで、貯留タンク１３及び貯留タンク１３に隣接して設けられる中継タンク１５の構造について図３を参照して説明する。図３は、貯留タンク１３及び中継タンク１５の内部を透写した状態の斜視図である。
【００２３】
まず、貯留タンク１３は、パチンコ島台１のパチンコ機ユニットＡ７〜Ａ１０に対応するパチンコ機２のカウンター台８６より下方の下部空間に設置される上方が開放した直方体状のタンク基台によって構成されている。なお、貯留タンク１３は、パチンコ島台１の玉揚送装置４を挟んで右側にのみ設置されているため、玉揚送装置４を挟んで左側のパチンコ機ユニットＡ７〜Ａ１０には対応するものではない。
【００２４】
前記タンク基台は、第１側板４０ａと第２側板４０ｂと前板４１と後板４２と底板４９とから構成されている。第１側板４０ａ及び第２側板４０ｂの上端部には、パチンコ機ユニットＡ７〜Ａ１０のパチンコ機２からのパチンコ玉を貯留タンク内に排出するための玉排出口４３がそれぞれ４箇所ずつ形成され、この玉排出口４３の下方には、下流部誘導樋４８が設けられている。下流部誘導樋４８は、パチンコ機ユニットＡ７に対応する玉排出口４３（図中左から４番目）の下方から前板４１及び貯留タンク１３の中央部に向けて下り傾斜して設けられている。なお、この下流部誘導樋４８は、第１側板４０ａと第２側板４０ｂのいずれにも設けられている。
【００２５】
前板４１の上端部中央には、前記中継樋１４が接続される導入口４４が形成され、この導入口４４から後板４２に向けて下り傾斜して溢れ玉誘導樋４５が設けられている。この溢れ玉誘導樋４５は、導入口４４の開口幅とほぼ同じ幅寸法で形成されており、その下流端は、後板４２と間隔を持って設けられている。また、その両側方にはガイド板４６が立設され、このガイド板４６には、それぞれ３箇所ずつ溢れ玉落下口４７が開設されている。この溢れ玉落下口４７は、貯留タンク１３の長手方向で、前記玉排出口４３と玉排出口４３との間の位置に開設されるものである。なお、溢れ玉誘導樋４５と前記下流部誘導樋４８との間には、幅方向で隙間が形成されるように設置され、玉排出口４３から排出されるパチンコ玉や溢れ玉落下口４７から落下するパチンコ玉は、この隙間から貯留タンク内へ落下することとなる。
【００２６】
底板４９は、後板４２から前板４１に向かって下り傾斜していると共に、第１側板４０ａから第２側板４０ｂに向かっても僅かに下り傾斜しており、その傾斜に沿って底板４９と第２側板４０ｂとにより形成される隅角部に、下層部誘導バイパス５０及びアウト玉優先バイパス５１が上下に積層して設けられている。また、底板４９の下流端は、前板４１に当接すると共に、底板４９の下流部の第２側板４０ｂ側には、合流部５４が形成されている。この合流部５４の上方には、第１側板４０ａから合流部５４に向けて下り傾斜する合流傾斜板５５の下流端が臨んでおり、この合流傾斜板５５の上流端側の前板４１には、前記連結樋１９が接続される連結口（図示しない）が開設されている。前板４１の底板４９が当接する部分には、前記玉揚送装置４の導入樋４ａが接続される貯留タンク排出口５６が穿設され、合流部５４内のパチンコ玉は、この貯留タンク排出口５６から排出されることとなる。
【００２７】
また、合流部５４及び合流傾斜板５５の上方には、第１側板４０ａから第２側板４０ｂに亘って第１圧抜板５２が設けられている。この第１圧抜板５２は、前板４１から後板４２の方向へ下り傾斜して設けられ、合流部５４及び合流傾斜板５５をほぼ覆う程度の寸法で形成されている。第１圧抜板５２の下流端の下方には、第１側板４０ａから第２側板４０ｂに亘って第１圧抜板５２と同じ傾斜方向で、第１圧抜板５２より小さい幅寸法で第２圧抜板５３が形成されている。
【００２８】
前記下層部誘導バイパス５０及びアウト玉優先バイパス５１は、下層部誘導バイパス５０の上段にアウト玉優先バイパス５１が積層して設けられるものであるが、下段の下層部誘導バイパス５０は、貯留タンク１３の長手方向より若干短い長さであってその下流端が合流部５４からやや離れた上流側に臨むようになっている。一方、上段のアウト玉優先バイパス５１の下流端は、合流部５４の直前位置に臨むように位置している。即ち、アウト玉優先バイパス５１の下流端が下層部誘導バイパス５０の下流端よりも上方であってより下流側に臨むようになっている。また、下層部誘導バイパス５０の第１側板４０ａ側の側面には、その上流端とほぼ中央部にパチンコ玉を下層部誘導バイパス５０内に導入するための導入穴（図示しない）が開設されている。
【００２９】
次に、中継タンク１５は、パチンコ島台１のパチンコ機ユニットＡ６に対応するパチンコ機２のカウンター台８６より下方の下部空間に設置される上方が開放した直方体状のタンク基台によって構成されている。なお、パチンコ島台１の玉揚送装置４を挟んで左側のパチンコ機ユニットＡ６には、中継タンク１５は設置されておらず、中継タンク１５と同様の機能を有する中継タンク１８がパチンコ機ユニットＡ１０に設置されている。
【００３０】
前記タンク基台は、後板４２と第１側板６０ａと第２側板６０ｂと上流側板６１と底板６７と前記アウト玉優先バイパス５１の底面部から構成されている。第１側板６０ａ及び第２側板６０ｂの上端部には、パチンコ機ユニットＡ６のパチンコ機２からのパチンコ玉を貯留タンク内に排出するための玉排出口４３が形成され、この玉排出口４３の下方には、誘導板６３が設けられている。誘導板６３は、パチンコ機ユニットＡ６に対応する玉排出口４３の下方から中継タンク１５の中央部に向けて下り傾斜して設けられるものであり、第１側板６０ａ及び第２側板６０ｂのいずれにも設けられている。誘導板６３の下流端の下方には、第１合流部６４を形成する合流底板６８が第１側板６０ａ側に向かって下り傾斜して設けられており、この合流底板６８の下流端と第１側板６０ａ側の誘導板６３の下流端との間には隙間が形成されている。
【００３１】
底板６７は、上流側板６１から後板４２に向かって下り傾斜していると共に、第１側板６０ａから第２側板６０ｂに向かっても僅かに下り傾斜している。この底板６７の第２側板６０ｂ側の下流端は、中継タンク１５側に突出した前記アウト玉優先バイパス５１の底面部に当接している。また、底板６７の上面には、上流側板６１側から第２側板６０ｂに亘って切り欠きが形成された合流板６５が貼着されている。また、上流側板６１の底板６７が当接した部分には、アウト玉回収樋１７が接続されるアウト玉導入口６２が開設されている。
【００３２】
以上、貯留タンク１３及び中継タンク１５の構造について説明してきたが、次に、貯留タンク１３及び中継タンク１５の作用をパチンコ玉の流れに沿って説明する。
【００３３】
まず、前述したように、玉揚送装置４によって揚送され、上部従タンク７でオーバーフローしたパチンコ玉が中継樋１４を介して貯留タンク１３内の溢れ玉誘導樋４５に導入され、溢れ玉誘導樋４５上を流下する。パチンコ玉は、溢れ玉誘導樋４５を流下する途中で溢れ玉落下口４７から溢れ玉誘導樋４５と下流部誘導樋４８との間を通って貯留タンク１３の底板４９に向けて落下し、貯留タンク１３内に貯留されていく。このとき、パチンコ玉が落下するのは、溢れ玉落下口４７が穿設された位置からと溢れ玉誘導樋４５の下流端からであるため、この位置の下方に優先的にパチンコ玉が貯留されることとなる。したがって、貯留されるパチンコ玉の上面は、溢れ玉落下口４７及び溢れ玉誘導樋４５に対応する位置を頂点として波形のような形状となる。即ち、溢れ玉落下口４７及び溢れ玉誘導樋４５に対応する位置が凸部に形成され、それ以外の位置は、凹部に形成される。また、溢れ玉落下口４７が形成される位置は、前述のように、玉排出口４３と玉排出口４３との間であるため、前記凹部が形成される位置は、玉排出口４３に対応する位置になる。
【００３４】
そして、パチンコ機ユニットＡ７〜Ａ１０のパチンコ機２から排出されるパチンコ玉が玉排出口４３を介して前記貯留タンク１３内に貯留されたパチンコ玉の前記凹部に排出され、凹部にパチンコ玉が貯留されていく。パチンコ機２から排出されるパチンコ玉で凹部が満たされると、次にパチンコ玉は、下流部誘導樋４８を転動して前板４１側へ流下し、前板４１側から次第に貯留されていくこととなる。
【００３５】
こうして貯留タンク１３内に貯留されたパチンコ玉は、下層部誘導バイパス５０に形成された前記導入口（図示しない）から下層部誘導バイパス５０に導入された後、下層部誘導バイパス５０の下流端から、あるいは、合流傾斜板５５の後板４２側の側方に形成される導出路（図示しない）を通って合流部５４に導入される。このとき、貯留タンク１３の前板４１側には、前述のように、第１圧抜板５２及び第２圧抜板５３が設けられているため、合流部５４に導入されるパチンコ玉は、貯留されたパチンコ玉の圧力を受けることがない。
【００３６】
一方、前記中継タンク１５には、この中継タンク１５の上方に位置するパチンコ機ユニットＡ６のパチンコ機２からのパチンコ玉が、玉排出口４３から誘導板６３上に排出される。中継タンク１５の両誘導板６３上に排出されたパチンコ玉は、合流底板６８上に落下して第１合流部６４で合流した後、合流板６５上に落下する。合流板６５上に落下したパチンコ玉は、アウト玉導入口６２を介してアウト玉回収樋１７から導入されるパチンコ玉とアウト玉合流部６６で合流する。そして、アウト玉合流部６６で合流したパチンコ玉は、アウト玉優先バイパス５１内を流下した後、アウト玉優先バイパス５１の流下端から合流部５４に排出されることとなる。こうして、玉揚送装置４を挟んでパチンコ島台１の右側に位置するパチンコ機ユニットＡ１〜Ａ６のパチンコ機２から排出されるパチンコ玉が、合流部５４に排出されることとなる。
【００３７】
また、前板４１に開設された前記連結口（図示しない）からは、中継タンク１８内のパチンコ玉が連結樋８を介して合流傾斜板５５上に排出された後、合流傾斜板５５上を流下して合流部５４に排出される。中継タンク１８は、玉揚送装置４を挟んでパチンコ島台１の左側に位置するパチンコ機ユニットＡ１〜Ａ９のパチンコ機２から排出されるパチンコ玉と、パチンコ機ユニットＡ１０のパチンコ機２から排出されるパチンコ玉とを中継タンク１５と同様の方法により合流するものである。こうして、玉揚送装置４を挟んでパチンコ島台１の左側に位置するパチンコ機ユニットＡ１〜Ａ１０のパチンコ機２から排出されるパチンコ玉が、合流部５４に排出されることとなる。
【００３８】
ここで、合流部５４の下流端で前板４１に当接する部分には、前述のように、玉揚送装置４へ連通する貯留タンク排出口５６が開設されており、この貯留タンク排出口５６の上方には、合流傾斜板５５の下流端が臨んでいる。また、上記のように、アウト玉優先バイパス５１の下流端は、合流部５４の直前位置に臨むように位置し、下層部誘導バイパス５０の下流端は、合流部５４からやや離れた上流側に臨むようになっている。また、合流傾斜板５５の後板４２側の側方に形成される前記導出路（図示しない）の下流端は、アウト玉優先バイパス５１の下流端の下方に位置している。このため、合流傾斜板５５からのパチンコ玉及びアウト玉優先バイパス５１からのパチンコ玉は、下層部誘導バイパスからのパチンコ玉及び導出路からのパチンコ玉に覆い被さるようにして合流部５４に導出されるので、より貯留タンク排出口５６に導出されやすくなる。即ち、玉揚送装置４を挟んでパチンコ島台１の右側に位置するパチンコ機ユニットＡ１〜Ａ６のパチンコ機２から排出されるパチンコ玉、及び玉揚送装置４を挟んでパチンコ島台１の左側に位置するパチンコ機ユニットＡ１〜Ａ１０のパチンコ機２から排出されるパチンコ玉が、貯留タンク１３内に貯留されたパチンコ玉に優先して玉揚送装置４に導出されることとなる。
【００３９】
次に、本実施形態の要部を構成するパチンコ島台１の変流機構について、図４乃至図７を参照して説明する。図４は、実施形態に係るパチンコ島台１の内部を示す断面図であり、図５は、実施形態に係るパチンコ機ユニットＡ１〜Ａ３の内部を示す斜視図であり、図６，図７は、実施形態に係るパチンコ機ユニットＡ４，Ａ５の内部を示す斜視図である。なお、パチンコ機ユニットＡは、玉揚送装置４を挟んでパチンコ島台１の左右に対称に設置されるものであるため、ここでは、図１における玉揚送装置４の右側のパチンコ機ユニットＡについて説明する。また、変流機構が設けられるのは、玉揚送装置４を挟んで右側のパチンコ機ユニットＡについてはＡ１〜Ａ５であり、左側のパチンコ機ユニットＡについては、Ａ１〜Ａ９である。この玉揚送装置４の左右に設置されるパチンコ機ユニットＡに設けられる変流機構の構造は、Ａ１〜Ａ３については、前記左右のパチンコ機ユニットＡ同士でそのまま対応している。また、後述するが、右側のパチンコ機ユニットＡ４，Ａ５、左側のパチンコ機ユニットＡ４〜Ａ９は、互いに同様の変流機構を備えている。
【００４０】
なお、パチンコ島台１に設置される複数のパチンコ機ユニットＡは、パチンコ島台１の外観において相違するものではないが、パチンコ島台１の内部であってパチンコ機２の下方に形成される玉排出空間８０の構成が各実施形態で相違している。そこで、各実施形態に共通する部分について説明した後、各実施形態で相違する部分を説明する。
【００４１】
まず、各実施形態に共通する部分について説明すると、図４において、パチンコ島台１の内部であってパチンコ機２（図２参照）の下方には上部腰板２０，上部区画板８２，傾斜底板８４及びパチンコ島台１の骨組みである区画支柱８１により玉排出空間８０が形成されている。この玉排出空間８０は、図１に示すように、パチンコ島台１の端部からパチンコ島台１の玉揚送装置４側に向かって徐々にその高さ寸法が大きくなっている。
【００４２】
傾斜底板８４は、上部腰板２０側からアウト玉回収底板９０側あるいはアウト玉回収樋１７側に向けて下り傾斜し且つアウト玉回収樋１７の下流側に向けて下り傾斜して形成されるものであり、その表面全体に騒音を吸収するためのゴム材が貼着してある。また、該傾斜底板８４は、パチンコ機ユニットＡ３〜Ａ５（図１参照：玉揚送装置４を挟んで左側のパチンコ機ユニットＡについては、Ａ３〜Ａ９）に対応するものは、同じ下り傾斜で、つまり、同じ形状に形成されている。このように構成することにより、傾斜底板８４を共通化することができ、生産性の向上につながる。また、後述する各排出開口部９７からパチンコ玉が排出される際の排出速度もほぼ一定になるので、アウト玉回収樋１７上のパチンコ玉の流下速度を上流部から下流部にかけてほぼ一定に保つことができる。
【００４３】
腰板としての上部腰板２０は、玉排出空間８０を構成するものであると共に、パチンコ島台１の下部の外観を構成するものであり、パチンコ島台１に対して着脱自在に取り付けられている。上部腰板２０は、その下方が上部レール２２上に載置され、上方をパチンコ島台１に対してネジ（図示しない）止めすることにより取り付けられている。また、この上部腰板２０の下方には、腰板としての下部腰板２１がパチンコ島台１に対して着脱自在に設けられている。下部腰板２１は、断面コ字状の前記上部レール２２の凹部と、上部レール２２と向かい合う断面コ字状の下部レール２３の凹部に嵌入することにより、パチンコ島台１に対して取り付けられている。このように、上部腰板２０及び下部腰板２１がパチンコ島台１に対して着脱自在に設けられているため、アウト玉回収樋１７等に破損，損傷等のトラブルが生じた場合であっても、その修理等をパチンコ島台１内から行うことなく、パチンコ島台１の外側から行うことできるため作業性がよく、また、清掃等のメンテナンスも容易に行うことができる。更に、腰板が上部と下部の２つに分かれているため、腰板全体を外す場合に比べ、外した後の腰板の置き場所もとらず、腰板の重さも軽くなるため、修理等の作業性が著しく向上する。
【００４４】
上部区画板８２上には、上面が開口した箱状の部材で形成されたアウト玉回収ボックス１６がパチンコ機２の下方に位置するように設置されている。アウト玉回収ボックス１６の底面は、底面の中心に向かってロート状に形成されると共に、その中心にはパチンコ玉の排出口（図示しない）が開口されるものであり、パチンコ機２から排出されたアウト玉を回収し、アウト玉回収樋１７に排出するものである。
【００４５】
パチンコ機２の下部には、パチンコ島台１に対してほぼ直交するように外側に向かってカウンター台８６が突設されており、このカウンター台８６には、玉箱８７が載置されると共に、遊技者が遊技で獲得し玉箱８７に貯留した景品玉を返却する機能が付設されている。玉箱８７から返却された景品玉は、景品玉落下口８８（図５，６参照）を介してカウンター台８６の裏面に設置された計数装置８３（ＪＣ）により計数され、上部腰板２０に開設された計数排出口８５から玉排出空間８０に排出される。
【００４６】
以上、各実施形態に共通する構造について説明したが、次に、各実施形態で相違する玉排出空間８０の構成について説明する。
【００４７】
まず、図５において、パチンコ機ユニットＡ１は、パチンコ島台１の端部に位置するものである。一対のパチンコ機ユニットＡ１の下方に形成される玉排出空間８０の傾斜底板８４の間には、パチンコ島台１の島端からパチンコ機ユニットＡ２とパチンコ機ユニットＡ３との間に位置する区画支柱８１に向かって下り傾斜してアウト玉回収底板９０が設けられている。このアウト玉回収底板９０には、計数排出口８５から排出され傾斜底板８４を流下してくるパチンコ玉、及び前記補給樋８から蛇腹１２を流下してくるパチンコ玉が排出され、このアウト玉回収底板９０に排出されたパチンコ玉は、隣接するパチンコ機ユニットＡ２の方向に流下する。このパチンコ機ユニットＡ１においては、傾斜底板８４の上流端は、計数排出口８５の下端部に当接しており、計数排出口８５から排出されるパチンコ玉は、玉排出空間８０に貯留されることなく傾斜底板８４上を流下し、アウト玉回収底板９０に排出される。
【００４８】
次に、図５において、パチンコ機ユニットＡ２は、前記パチンコ機ユニットＡ１のパチンコ玉流下側に隣接して設けられるものである。一対のパチンコ機ユニットＡ２の下方に形成される玉排出空間８０の傾斜底板８４の間には、前述のように、アウト玉回収底板９０が設けられている。このアウト玉回収底板９０と傾斜底板８４との間であって、アウト玉回収底板９０の上流端側には、アウト玉回収底板９０の下流側に向けてその間隔が徐々に狭くなる一対の回収壁９１が立設されている。また、アウト玉回収底板９０と傾斜底板８４との間であって、回収壁９１の下流端からは、アウト玉回収底板９０の下流側に向けて平行な一対の誘導壁９２が立設されている。この誘導壁９２の下流端は、パチンコ機ユニットＡ２とパチンコ機ユニットＡ３との間に位置する区画支柱８１からやや間隔をおいて位置している。そして、一対の誘導壁９２の下流端同士により排出開口部９３が、片側の誘導壁９２の下流端と区画支柱８１により排出開口部９５が２箇所形成されている。この排出開口部９３の開口面積は、パチンコ機ユニットＡ１の計数排出口８５の面積よりも小さく形成され、また、排出開口部９５の開口面積は、パチンコ機ユニットＡ１の計数排出口８５の面積よりも小さく形成されている。
【００４９】
なお、前記パチンコ機ユニットＡ１において、アウト玉回収底板９０を流下するパチンコ玉は、前記一対の回収壁９１により形成される空間に導入され、一対の誘導壁９２の中を流下して排出開口部９３から排出されるものであるが、前述のように、排出開口部９３の開口面積は、計数排出口８５の開口面積よりも小さく形成されているため、計数排出口８５からのパチンコ玉の排出量よりも排出開口部９３からのパチンコ玉の排出量が少なくなり、排出開口部９３の手前でパチンコ玉が滞留することとなる。従って、パチンコ機ユニットＡ１の玉排出空間８０から回収壁９１及び誘導壁９２によって形成される空間により、パチンコ玉の貯留空間が形成されることとなる。
【００５０】
パチンコ機ユニットＡ２における傾斜底板８４の上流端は、パチンコ機ユニットＡ１の傾斜底板８４と異なり、計数排出口８５の下端部からやや間隔をおいた下方に位置している。また、計数排出口８５の下端部からは、計数排出口８５の左右方向ほぼ中央位置を頂点として左右に下り傾斜する山形の分散機構９４が上部腰板２０から回収壁９１及び誘導壁９２に向かって下り傾斜して形成されている。この分散機構９４は、パチンコ機ユニットＡ２のように、計数排出口８５と傾斜底板８４との間隔が比較的短い場合、つまり、玉排出空間８０が比較的狭い場合に取り付けられるもので、計数排出口８５からのパチンコ玉を玉排出空間８０内に万遍なく排出させることができるため、玉排出空間８０を有効に利用することができる。更に、この分散機構９４を取り付けることにより、計数排出口８５付近がパチンコ玉で一杯になることを防止できるため、計数装置８３からのパチンコ玉の排出が妨げられ、排出されにくくなるというおそれはなくなる。
【００５１】
しかして、パチンコ機ユニットＡ２において、計数排出口８５から排出されたパチンコ玉は、分散機構９４上に落下した後、分散機構９４の長手方向に分散して傾斜底板８４上に落下し、傾斜底板８４上を流下して排出開口部９５から排出される。このとき、傾斜底板８４は、排出開口部９５に向かって傾斜しているため、パチンコ玉が排出開口部９５から排出される際には、アウト玉回収底板９０上のパチンコ玉の流下方向と略同一の流下方向で排出される。従って、計数排出口８５とアウト玉回収底板９０との間に形成される玉排出空間８０は、計数装置８３から排出されるパチンコ玉の流下方向をアウト玉回収底板９０上のパチンコ玉の流下方向と略同一方向に変換する変流機構として機能するものである。そして、変流機構で流下方向を変換させてから計数装置８３の計数排出口８５から排出されるパチンコ玉をアウト玉回収樋１７上のパチンコ玉に合流させることとなる。
【００５２】
また、前述のように、排出開口部９５の開口面積は、計数排出口８５の開口面積よりも小さく形成されているため、計数排出口８５からのパチンコ玉の排出量よりも排出開口部９５からのパチンコ玉の排出量が少なくなり、排出開口部９５の手前でパチンコ玉が滞留することとなる。従って、パチンコ機ユニットＡ２の玉排出空間８０は、パチンコ玉の貯留空間として機能するものである。なお、前記回収壁９１は、アウト玉回収底板９０上のパチンコ玉の流下方向をパチンコ機ユニットＡ２の玉排出空間８０から排出されるパチンコ玉の流下を妨げない方向に変換するアウト玉変流機構としての機能も持つものである。
【００５３】
次に、図５において、パチンコ機ユニットＡ３は、前記パチンコ機ユニットＡ２のパチンコ玉流下側に隣接して設けられるものである。一対のパチンコ機ユニットＡ３の下方に形成される玉排出空間８０の傾斜底板８４の間には、前記パチンコ機ユニットＡ１及びパチンコ機ユニットＡ２とは異なり、アウト玉回収樋１７が設けられている。このアウト玉回収樋１７は、パチンコ機ユニットＡ２とパチンコ機ユニットＡ３との間の区画支柱８１から中継タンク１５に向けて下り傾斜して設けられ、その上流端はアウト玉回収底板９０と接続され、下流端は中継タンク１５のアウト玉導入口６２に接続されている。また、アウト玉回収樋１７と傾斜底板８４との間には、アウト玉回収樋１７と傾斜底板８４とを区画する仕切板９６がパチンコ機ユニットＡ３両側方の区画支柱８１間に亘って立設されている。この仕切板９６の高さは、仕切板９６の上端面と上部区画板８２（図４参照）との間に間隔が形成されるように形成され、また、仕切板９６の傾斜底板８４下流端に対応する位置には、パチンコ玉をアウト玉回収樋１７に排出するための排出開口部９７が開設されている。この排出開口部９７の開口面積は、パチンコ機ユニットＡ１の計数排出口８５の面積よりも小さく形成されている。
【００５４】
パチンコ機ユニットＡ３における傾斜底板８４の上流端は、パチンコ機ユニットＡ２の傾斜底板８４と同様に、計数排出口８５の下端部からやや間隔をおいた下方に位置している。また、計数排出口８５の下端部からは、計数排出口８５の左右方向ほぼ中央位置を頂点として左右に下り傾斜する山形の分散機構９８が上部腰板２０から仕切板９６に向かって下り傾斜して形成されている。この分散機構９８は、前記分散機構９４と同様、計数排出口８５からのパチンコ玉を玉排出空間８０内に万遍なく排出させるためのものであり、計数排出口８５付近がパチンコ玉で一杯になり、計数装置８３からのパチンコ玉の排出が妨げられるのを防止するという理由も同様である。なお、分散機構９８には、その長手方向中央部であって、仕切板９６側の下流端には、パチンコ玉が落下する程度の大きさの切り欠き部が形成されている。これは、分散機構９８の幅寸法が比較的小さいため、パチンコ玉を分散機構９８の長手方向に分散させて落下させるだけでは計数排出口８５のパチンコ玉排出量に追いつかず、計数装置８３で玉詰まりを起こす場合があるため、前記切り欠き部からもパチンコ玉を落下させることにより落下量を増やし、計数装置８３での玉詰まりを防止するためのものである。なお、前記分散機構９４にも同様の切り欠き部を設けてもよい。
【００５５】
しかして、パチンコ機ユニットＡ３において、計数排出口８５から排出されたパチンコ玉は、分散機構９８上に落下した後、分散機構９８の長手方向及び仕切板９６側の下流端方向に分散して傾斜底板８４上に落下し、傾斜底板８４上を流下して排出開口部９７から排出される。このとき、傾斜底板８４は、排出開口部９７に向かって傾斜しているため、パチンコ玉が排出開口部９７から排出される際には、アウト玉回収樋１７上のパチンコ玉の流下方向と略同一の流下方向で排出される。従って、計数排出口８５とアウト玉回収樋１７との間に形成される玉排出空間８０は、計数装置８３から排出されるパチンコ玉の流下方向をアウト玉回収樋１７上のパチンコ玉の流下方向と略同一方向に変換する変流機構として機能するものである。また、前述のように、排出開口部９７の開口面積は、計数排出口８５の開口面積よりも小さく形成されているため、計数排出口８５からのパチンコ玉の排出量よりも排出開口部９７からのパチンコ玉の排出量が少なくなり、排出開口部９７の手前でパチンコ玉が滞留することとなる。従って、パチンコ機ユニットＡ３の玉排出空間８０は、パチンコ玉の貯留空間として機能するものである。
【００５６】
次に、図６において、パチンコ機ユニットＡ４は、前記パチンコ機ユニットＡ３のパチンコ玉流下側に隣接して設けられるものである。なお、パチンコ機ユニットＡ５（玉揚送装置４を挟んで左側のパチンコ機ユニットＡについてはＡ５〜Ａ９）は、玉排出空間８０の高さ寸法がパチンコ機ユニットＡ４の玉排出空間８０の高さ寸法より大きい以外は同じ構成であるため、パチンコ機ユニットＡ５（Ａ５〜Ａ９）を含め、パチンコ機ユニットＡ４等として以下に説明する。また、図６では、パチンコ機ユニットＡ４等に係る複数の実施形態が便宜上３台分図示されているが、実際には異なる実施形態のパチンコ機ユニットＡが図のように並ぶことはなく、それぞれの実施形態に係るパチンコ機ユニットＡについて、同一の実施形態のパチンコ機ユニットＡがパチンコ機ユニットＡ４，Ａ５として２台並ぶことになる。また、パチンコ島台１に設置されるパチンコ機２の台数により、実施形態に係るパチンコ機ユニットＡは、Ａ４，Ａ５の２台の場合ばかりでなく、１台であったり、あるいは、３台以上の場合もある。
【００５７】
まず、パチンコ機ユニットＡ４等の第１実施形態として、図６（Ｂ）を参照して説明する。一対のパチンコ機ユニットＡ４等（図中手前側のパチンコ機ユニットＡ４等は省略）の下方に形成される玉排出空間８０の傾斜底板８４の間には、前記パチンコ機ユニットＡ３と同様に、前記アウト玉回収樋１７が位置している。また、アウト玉回収樋１７と傾斜底板８４との間には、パチンコ機ユニットＡ３と同様の仕切板９６が、パチンコ機ユニットＡ４等の両側方の区画支柱８１間に亘って立設されている。そして、この仕切板９６の傾斜底板８４下流端に対応する位置には、排出開口部９７が開設されている。この排出開口部９７の開口面積は、パチンコ機ユニットＡ４等の計数排出口８５の面積よりも小さく形成されている。
【００５８】
パチンコ機ユニットＡ４等における傾斜底板８４の上流端は、パチンコ機ユニットＡ３よりも更に計数排出口８５の下端部から間隔をおいた下方に位置している。このように、パチンコ機ユニットＡ４等については、計数排出口８５と傾斜底板８４との間隔を十分にとることができるため、計数排出口８５から排出されるパチンコ玉が計数排出口８５付近がパチンコ玉で一杯になることがない。このため、パチンコ機ユニットＡ２，Ａ３のように分散機構９４，９８が設けられていないが、パチンコ機ユニットＡ２，Ａ３と同様に、分散機構９４，９８を設けてもよい。
【００５９】
しかして、パチンコ機ユニットＡ４等において、計数排出口８５から排出されたパチンコ玉は、傾斜底板８４上に落下した後、傾斜底板８４上を流下して排出開口部９７から排出される。このとき、傾斜底板８４は、排出開口部９７に向かって傾斜しているため、パチンコ玉が排出開口部９７から排出される際には、アウト玉回収樋１７上のパチンコ玉の流下方向と略同一の流下方向で排出される。従って、計数排出口８５とアウト玉回収樋１７との間に形成される玉排出空間８０は、計数装置８３から排出されるパチンコ玉の流下方向をアウト玉回収樋１７上のパチンコ玉の流下方向と略同一方向に変換する変流機構として機能するものである。また、前述のように、排出開口部９７の開口面積は、計数排出口８５の開口面積よりも小さく形成されているため、計数排出口８５からのパチンコ玉の排出量よりも排出開口部９７からのパチンコ玉の排出量が少なくなり、排出開口部９７の手前でパチンコ玉が滞留することとなる。従って、パチンコ機ユニットＡ４等の玉排出空間８０は、パチンコ玉の貯留空間として機能するものである。
【００６０】
以上、パチンコ機ユニットＡ４等の第１実施形態について説明してきたが、上記の実施形態における変流機構としての玉排出空間８０は、アウト玉回収樋１７上のパチンコ玉の流下方向を変換するものではないが、アウト玉回収樋１７上のパチンコ玉の流下方向を変換するものであってもよい。このような実施形態（以下、第２実施形態という）について図６（Ａ）を参照して説明する。なお、上記したパチンコ機ユニットＡ４等に係る第１実施形態と同一の部品には、同一の符号を付した。
【００６１】
図６（Ａ）において、仕切板９６に開設される排出開口部９７の上流端側には、排出開口部９７と同じ高さ寸法で、アウト玉回収樋１７側に突出してアウト玉変流機構としての誘導片９９が設けられている。この誘導片９９の玉排出空間８０側の面は、平面状に形成されると共に、アウト玉回収樋１７側の面は、曲面状に形成されている。
【００６２】
しかして、アウト玉回収樋１７上の側方を流下し、誘導片９９に衝突したパチンコ玉は、誘導片９９の曲面状の部分に沿ってアウト玉回収樋１７の中心部に向かって誘導され、そのままアウト玉回収樋１７の中心部付近を流下することとなる。従って、誘導片９９の下流側には、パチンコ玉が流下してこない空間が形成される。玉排出空間８０内のパチンコ玉は、この誘導片９９によって形成されたパチンコ玉が流下してこない空間に排出されるため、アウト玉回収樋１７上を流下するパチンコ玉と衝突することがなく、スムーズに合流することができる。
【００６３】
以上、パチンコ機ユニットＡ４等の第１，第２実施形態について説明してきたが、上記の実施形態における傾斜底板８４は、その表面が平坦に形成されるものであるが、平坦に形成されるものに限らず、その表面に段差が設けられているものであってもよい。このような実施形態（以下、第３実施形態という）について図６（Ｃ）を参照して説明する。なお、上記したパチンコ機ユニットＡ４等に係る第１，第２実施形態と同一の部品には、同一の符号を付した。
【００６４】
図６（Ｃ）において、傾斜底板８４の上部腰板２０側の隅角部には、玉排出空間８０の長手方向に亘って、断面が正方形状の段差部１００が突設されている。この段差部１００の上面は、計数排出口８５の下端部と傾斜底板８４のほぼ中間に位置しているが、計数排出口８５寄りか、あるいは、傾斜底板８４寄りの位置であってもよい。また、その断面形状も正方形状に限らず長方形状あるいは傾斜底板８４側に下り傾斜した台形形状等であってもよい。また、図においては、段差は、一段のものを図示しているが、一段のものに限らず、複数段のものであってもよい。
【００６５】
しかして、段差部１００は、計数排出口８５の下方に位置することとなり、計数排出口８５から排出されるパチンコ玉は、段差部１００上に落下した後、段差部１００を転動し、傾斜底板８４に落下する。このように、計数排出口８５から排出されるパチンコ玉が直接傾斜底板８４上に落下することがないため、落下衝撃による騒音を防止することができると共に、傾斜底板の破損，損傷を防止することができる。
【００６６】
以上、パチンコ機ユニットＡ４等の第１，第２及び第３実施形態について説明してきたが、上記の実施形態における変流機構としての玉排出空間８０は、仕切板９６を有するものであるが、仕切板９６を有しないものであってもよい。このような実施形態（以下、第４実施形態という）について図７（Ｂ）を参照して説明する。なお、上記したパチンコ機ユニットＡ４等に係る第１，第２及び第３実施形態と同一の部品には、同一の符号を付した。
【００６７】
図７（Ｂ）において、傾斜底板８４とアウト玉回収樋１７との間には、第１，第２及び第３実施形態に係るパチンコ機ユニットＡ４等とは異なり、仕切板９６は立設されておらず、アウト玉回収樋１７の下流側に向けてその間隔が徐々に狭くなる一対のアウト玉変流機構としての誘導壁１０２（図中手前側の誘導壁１０２は省略）が立設されている。この誘導壁１０２は、玉排出空間８０の上部区画板８２から傾斜底板８４に亘って設けられるものであり、その上流端は、計数排出口８５（図示しない、図６参照）のアウト玉回収樋１７上流側の側端部に当接しており、下流端は、アウト玉回収樋１７上に突出している。なお、この実施形態においては、上部腰板２０，区画支柱８１，上部区画板８２，傾斜底板８４及び誘導壁１０２により変流機構としての玉排出空間８０が形成されている。また、アウト玉回収樋１７の誘導壁１０２の下流端近傍の形状を、パチンコ玉がアウト玉回収樋１７の中心部付近に誘導され易くなるよう、図７（Ｂ）に示すように、簀の子状ではなく、平板で形成してもよい。
【００６８】
しかして、アウト玉回収樋１７上の側方を流下し、誘導壁１０２の下流端に衝突したパチンコ玉は、誘導壁１０２のアウト玉回収樋１７の上流側面に沿って、アウト玉回収樋１７の中心部に向かって誘導され、そのままアウト玉回収樋１７の中心部付近を流下することとなる。従って、誘導壁１０２のアウト玉回収樋１７下流側には、アウト玉回収樋１７上のパチンコ玉が流下してこない空間が形成される。そして、計数排出口８５から排出されたパチンコ玉は、この誘導壁１０２によって形成されたパチンコ玉が流下してこない空間に排出されるため、アウト玉回収樋１７上を流下するパチンコ玉と衝突することがなく、スムーズに合流することができる。
【００６９】
以上、パチンコ機ユニットＡ４等の第１，第２，第３及び第４実施形態について説明してきたが、上記の実施形態における変流機構は、上部腰板２０，区画支柱８１，上部区画板８２，傾斜底板８４等を有する玉排出空間８０として構成されるものであるが、上部腰板２０，区画支柱８１，上部区画板８２，傾斜底板８４等から構成される玉排出空間８０が形成されず、計数排出口８５から直接アウト玉回収樋１７上にパチンコ玉を排出するものであってもよい。このような実施形態（以下、第５実施形態という）について図７（Ａ）を参照して説明する。なお、上記したパチンコ機ユニットＡ４等に係る第１，第２，第３及び第４実施形態と同一の部品には、同一の符号を付した。
【００７０】
図７（Ａ）において、計数排出口８５（図示しない、図６参照）には、計数排出口８５から排出されるパチンコ玉の流下方向をアウト玉回収樋１７上のパチンコ玉の流下方向と同一方向に変換する変流機構としての変流樋１０１が接続されている。変流樋１０１は、断面コ字状に形成され、その上流端開口部は計数排出口８５とほぼ同寸法に形成されると共に、その下流端開口部は、その開口面積が上流端開口部の開口面積よりも小さく形成されている。また、上流端開口部から流下するパチンコ玉の流下方向が変換されるよう、上流端開口部と下流端開口部との間には、湾曲部が設けれられている。この変流樋１０１は、変流樋１０１の上流端開口部が計数排出口８５に接続されると共に、その下流端開口部がアウト玉回収樋１７の下流側に向けて、アウト玉回収樋１７の上方に臨むように設置されている。
【００７１】
しかして、計数排出口８５から排出されたパチンコ玉は、変流樋１０１の上流端開口部から変流樋１０１内に導出され、前記湾曲部によりその流下方向がアウト玉回収樋１７の流下方向に変換された後、下流端開口部からアウト玉回収樋１７に向けて排出される。このように、計数排出口８５から排出されたパチンコ玉の流下方向は、交流樋１０１によりアウト玉回収樋１７上のパチンコ玉の流下方向と同一方向に変換されるため、アウト玉回収樋１７上のパチンコ玉の流下を妨げることなく計数排出口８５から排出されるパチンコ玉をアウト玉回収樋１７に合流させることができる。更に、交流樋１０１は、図７（Ａ）の矢印に示す方向に下流端側が伸縮するようになっているため、下流端開口部の下端とアウト玉回収樋１７との間隔及びパチンコ玉の落下位置を調整することができる。このため、交流樋１０１からのパチンコ玉の落下の勢いを調整することができる。
【００７２】
以上、第５実施形態における変流機構としての交流樋１０１は、アウト玉回収樋１７上のパチンコ玉の流下方向を変換するものではないが、第２実施形態あるいは第４実施形態のように、アウト玉回収樋１７上のパチンコ玉の流下方向を変換するものであってもよい。このような実施形態（以下、第６実施形態という）について、図７（Ｃ）を参照して説明する。なお、上記したパチンコ機ユニットＡ４等に係る第５実施形態と同一の部品には、同一の符号を付した。
【００７３】
図７（Ｃ）において、計数排出口８５（図示しない、図６参照）には、第５実施形態と同様、計数排出口８５から排出されるパチンコ玉の流下方向をアウト玉回収樋１７上のパチンコ玉の流下方向と略同一方向に変換する変流機構としての変流樋１０１が接続されている。第６実施形態における変流樋１０１の形状は、第５実施形態における変流樋１０１と同形状であるが、第６実施形態においては、第５実施形態と異なり、変流樋１０１の下流端開口部の下端がアウト玉回収樋１７上面に当接している。また、変流樋１０１の下面であって、アウト玉回収樋１７の上方に対応する位置には、変流樋１０１の側方端部からアウト玉回収樋１７表面に亘って誘導壁１０２が立設されている。
【００７４】
しかして、アウト玉回収樋１７上の側方を流下し、誘導壁１０２表面に衝突したパチンコ玉は、誘導壁１０２に沿って、アウト玉回収樋１７の中心部に向かって誘導され、そのままアウト玉回収樋１７の中心部付近を流下することとなる。従って、誘導壁１０２のアウト玉回収樋１７下流側、即ち、変流樋１０１の下流端開口部が臨む位置には、アウト玉回収樋１７上のパチンコ玉が流下してこない空間が形成される。そして、変流樋１０１から排出されたパチンコ玉は、このパチンコ玉が流下してこない空間に排出されるため、アウト玉回収樋１７上を流下するパチンコ玉と衝突することがなく、スムーズに合流することができる。
【００７５】
なお、上記の説明に用いた図７においても、図６と同様、パチンコ機ユニットＡ４等に係る複数の実施形態が便宜上３台分図示されているが、実際には異なる実施形態のパチンコ機ユニットＡが図のように並ぶことはなく、それぞれの実施形態に係るパチンコ機ユニットＡについて、同一の実施形態のパチンコ機ユニットＡがパチンコ機ユニットＡ４，Ａ５として２台並ぶことになる。また、パチンコ島台１に設置されるパチンコ機２の台数により、実施形態に係るパチンコ機ユニットＡは、Ａ４，Ａ５の２台の場合ばかりでなく、１台であったり、あるいは、３台以上の場合もある。
【００７６】
以上、パチンコ島台１の詳細な構成について説明してきたが、本実施形態においては、複数のパチンコ機２が列設されると共に、獲得した景品玉を計数する計数装置８３が前記パチンコ機２毎に対応して設置され且つ前記計数装置８３で計数されたパチンコ玉及び前記パチンコ機２で使用されたパチンコ玉をまとめて回収するアウト玉回収樋１７が内蔵されたパチンコ島台１において、前記計数装置８３から排出されるパチンコ玉の流下方向を前記アウト玉回収樋１７上のパチンコ玉の流下方向と略同一方向に変換する変流機構としての玉排出空間８０，変流樋１０１を備え、該変流機構で流下方向を変換させてから前記計数装置８３の計数排出口８５から排出されるパチンコ玉を前記アウト玉回収樋１７上のパチンコ玉に合流させることを特徴とするものである。このように構成することにより、アウト玉回収樋１７上のパチンコ玉の流下を妨げることなく計数装置８３から排出されるパチンコ玉をアウト玉回収樋１７に合流させることができるため、パチンコ島台１内のパチンコ玉の循環を妨げることはない。また、向かい合う一対のパチンコ機２から同時にパチンコ玉が排出された場合でも、一対のパチンコ機１からのパチンコ玉同士の衝突もなくなるため、パチンコ玉が一箇所に集中することによるアウト玉回収樋１７上のパチンコ玉の流下の妨げを解消し、且つ騒音も発生することがない。更に、計数装置８３から排出されるパチンコ玉は、アウト玉回収樋１７に対して上方から落下するものではないため、アウト玉回収樋１７が破損，損傷することがなく、アウト玉回収樋１７上のパチンコ玉の流下が停止する等のトラブルを防止することができる。
【００７７】
また、本実施形態においては、前記変流機構は、前記アウト玉回収樋１７側に向けて下り傾斜し且つ該アウト玉回収樋１７の下流側に向けて下り傾斜する傾斜底板８４と、該傾斜底板８４と前記アウト玉回収樋１７とを仕切る仕切板９６と、該仕切板９６の下流端に形成された前記計数装置８３の計数排出口８５から排出されるパチンコ玉を前記アウト玉回収樋１７に排出する排出開口部９７と、からなり、前記計数装置８３の計数排出口８５から排出されたパチンコ玉を前記傾斜底板８４で受け止めて前記排出開口部に導くことを特徴とするものである。このように構成することにより、計数装置８３から排出されるパチンコ玉は、傾斜底板８４及び仕切板９６に沿って排出開口部９７に向けて流下し、排出開口部９７から排出される際に、アウト玉回収樋１７上のパチンコ玉の流下方向と略同一方向で合流するため、アウト玉回収樋１７に対して、スムーズに合流することとなる。また、アウト玉回収樋１７上のパチンコ玉の流下量が多いときや、あるいは、アウト玉回収樋１７の破損，損傷等のトラブルにより、排出開口部９７からのパチンコ玉の排出がスムーズに行えない場合にも、計数排出口８５と前記アウト玉回収樋１７との間に形成される空間内にパチンコ玉を一旦貯留することができるため、計数装置８３からのパチンコ玉の排出が妨げられることがない。
【００７８】
また、本実施形態においては、前記複数のパチンコ機２にそれぞれ備えられる複数の前記変流機構は、互いに共通な前記傾斜底板８４を有する少なくとも２以上の変流機構を含むことを特徴とするものである。このように構成することにより、傾斜底板８４を共通化することができ、生産性の向上につながる。
【００７９】
また、本実施形態においては、前記変流機構としての玉排出空間８０の内部に、前記計数排出口８５から排出されるパチンコ玉を変流機構内全体に分散させるための分散機構９４，９８を設けたことを特徴とするものである。このように構成することにより、計数排出口８５と傾斜底板８４との間隔が比較的短い場合であっても、計数排出口８５からのパチンコ玉を傾斜底板８４全体に排出させることができるため、計数排出口８５とアウト玉回収樋１７との間に形成される空間を有効に利用することができる。更に、計数排出口８５付近が排出されてくるパチンコ玉で一杯になることを防止できるため、計数装置８３からのパチンコ玉の排出が妨げられ、排出されにくくなるというおそれはなくなる。
【００８０】
また、本実施形態においては、前記傾斜底板８４上面に、前記計数排出口８５から排出されるパチンコ玉の落下衝撃を緩和するための段差部１００を設けたことを特徴とするものである。このように構成することにより、計数排出口８５から排出されるパチンコ玉が直接傾斜底板８４上に落下することがないため、落下衝撃による騒音を防止することができると共に、傾斜底板８４の破損，損傷を防止することができる。
【００８１】
また、本実施形態においては、前記変流機構としての玉排出空間８０，交流樋１０１は、前記アウト玉回収樋１７上のパチンコ玉の流下方向を、前記変流機構としての玉排出空間８０，交流樋１０１から排出されるパチンコ玉の流下を妨げない方向に変換するアウト玉変流機構としての誘導片９９，誘導壁１０２を備えたことを特徴とするものである。このように構成することにより、アウト玉回収樋１７上に、パチンコ玉が流下してこない空間が形成されるため、変流機構としての玉排出空間８０，交流樋１０１から排出されるパチンコ玉とアウト玉回収樋１７上を流下するパチンコ玉が衝突することがなく、スムーズに合流することができる。
【００８２】
更に、本実施形態においては、前記パチンコ島台１に列設されるパチンコ機２の下方部分を閉塞するための腰板としての上部腰板２０，下部腰板２１を、パチンコ島台に対して着脱自在に設けたことを特徴とするものである。このように構成することにより、アウト玉回収樋１７等に破損，損傷等のトラブルが生じた場合であっても、その修理等をパチンコ島台１内から行うことなく、パチンコ島台１の外側から行うことできるため作業性がよく、また、清掃等のメンテナンスも容易に行うことができる。
【００８３】
なお、本実施形態においては、一対のパチンコ島台について述べてきたが、無対のパチンコ島台（いわゆる、壁島台）でもよい。
【００８４】
【発明の効果】
以上、説明したところから明らかなように、請求項１に記載の発明においては、複数のパチンコ機が列設されると共に、獲得した景品玉を計数する計数装置が前記パチンコ機毎に対応して当該パチンコ機の下方に設置されると共に、前記計数装置で計数されたパチンコ玉及び前記パチンコ機で使用されたパチンコ玉をまとめて回収するアウト玉回収樋が内蔵されたパチンコ島台において、前記アウト玉回収樋側に向けて下り傾斜し且つ該アウト玉回収樋の下流側に向けて下り傾斜する傾斜底板と、該傾斜底板と前記アウト玉回収樋とを仕切る仕切板と、該仕切板の下流端に形成され前記計数装置の計数排出口から排出されるパチンコ玉を前記アウト玉回収樋に排出する排出開口部と、からなり、前記計数装置から前記傾斜底板に排出されたパチンコ玉を前記傾斜底板の傾斜及び前記仕切板に沿って流下させることにより当該パチンコ玉の流下方向を前記アウト玉回収樋上のパチンコ玉の流下方向と略同一方向に変換する変流機構と、前記排出開口部から前記アウト玉回収樋へのパチンコ玉の排出を妨げないように、前記アウト玉回収樋の側方を流れるパチンコ玉を当該アウト玉回収樋の中央方向に変換するアウト玉変流機構と、を備え、前記計数装置の計数排出口から排出されるパチンコ玉は、前記変流機構で流下方向を変換されて前記排出開口部に導かれた後、前記アウト玉変流機構によって前記アウト玉回収樋上のパチンコ玉にスムーズに合流されることを特徴とするものである。このように構成することにより、アウト玉回収樋上のパチンコ玉の流下を妨げることなく計数装置から排出されるパチンコ玉をアウト玉回収樋に合流させることができるため、パチンコ島台内のパチンコ玉の循環を妨げることはない。また、向かい合う一対のパチンコ機から同時にパチンコ玉が排出された場合でも、一対のパチンコ機からのパチンコ玉同士の衝突もなくなるため、パチンコ玉が一箇所に集中することによるアウト玉回収樋上のパチンコ玉の流下の妨げを解消し、且つ騒音も発生することがない。更に、計数装置から排出されるパチンコ玉は、アウト玉回収樋に対して上方から落下するものではないため、アウト玉回収樋が破損，損傷することがなく、アウト玉回収樋上のパチンコ玉の流下が停止する等のトラブルを防止することができる。
【００８５】
また、前記変流機構は、前記アウト玉回収樋側に向けて下り傾斜し且つ該アウト玉回収樋の下流側に向けて下り傾斜する傾斜底板と、該傾斜底板と前記アウト玉回収樋とを仕切る仕切板と、該仕切板の下流端に形成され前記計数装置の計数排出口から排出されるパチンコ玉を前記アウト玉回収樋に排出する排出開口部と、からなり、前記計数装置の計数排出口から排出されたパチンコ玉を前記排出開口部に導くことにより、計数装置から排出されるパチンコ玉は、傾斜底板及び仕切板に沿って排出開口部に向けて流下し、排出開口部から排出される際に、アウト玉回収樋上のパチンコ玉の流下方向と略同一方向で合流するため、アウト玉回収樋に対して、スムーズに合流することとなる。また、アウト玉回収樋上のパチンコ玉の流下量が多いときや、あるいは、アウト玉回収樋の破損，損傷等のトラブルにより、排出開口部からのパチンコ玉の排出がスムーズに行えない場合にも、計数排出口と前記アウト玉回収樋との間に形成される空間内にパチンコ玉を一旦貯留することができるため、計数装置からのパチンコ玉の排出が妨げられることがない。
【００８６】
更に、前記排出開口部から前記アウト玉回収樋へのパチンコ玉の排出を妨げないように、前記アウト玉回収樋の側方を流れるパチンコ玉を当該アウト玉回収樋の中央方向に変換するアウト玉変流機構を備えることにより、アウト玉回収樋上に、パチンコ玉が流下してこない空間が形成されるため、変流機構から排出されるパチンコ玉とアウト玉回収樋上を流下するパチンコ玉が衝突することがなく、スムーズに合流することができる。
【００８７】
また、請求項２に記載の発明においては、前記変流機構の前記傾斜底板の上方に、前記計数排出口から排出されるパチンコ玉を前記傾斜底板全体に分散させるための分散機構を設けたことを特徴とするものである。このように構成することにより、計数排出口と傾斜底板との間隔が比較的短い場合であっても、計数排出口からのパチンコ玉を傾斜底板全体に排出させることができるため、計数排出口とアウト玉回収樋との間に形成される空間を有効に利用することができる。更に、計数排出口付近が排出されてくるパチンコ玉で一杯になることを防止できるため、計数装置からのパチンコ玉の排出が妨げられ、排出されにくくなるというおそれはなくなる。
【００８８】
また、請求項３に記載の発明においては、前記傾斜底板上面に、前記計数排出口から排出されるパチンコ玉の落下衝撃を緩和するための段差部を設けたことを特徴とするものである。このように構成することにより、計数排出口から排出されるパチンコ玉が直接傾斜底板上に落下することがないため、落下衝撃による騒音を防止することができると共に、傾斜底板の破損，損傷を防止することができる。
【００８９】
【００９０】
【図面の簡単な説明】
【図１】  本実施形態に係るパチンコ島台の内部を示す側面図である。
【図２】  パチンコ機が設置される部分のパチンコ島台の拡大図である。
【図３】  貯留タンク及び中継タンクの内部を透写した状態の斜視図である。
【図４】  実施形態に係るパチンコ島台の内部を示す断面図である。
【図５】  実施形態に係るパチンコ機ユニットＡ１〜Ａ３の内部を示す斜視図である。
【図６】  実施形態に係るパチンコ機ユニットＡ４，Ａ５の内部を示す斜視図である。
【図７】  実施形態に係るパチンコ機ユニットＡ４，Ａ５の内部を示す斜視図である。
【符号の説明】
Ａ１〜Ａ１０  パチンコ機ユニット
１  パチンコ島台
２  パチンコ機
３  台間玉貸機
４  玉揚送装置
８  補給樋
１２  蛇腹
１３  貯留タンク
１５  中継タンク
１７  アウト玉回収樋
２０  上部腰板（腰板）
２１  下部腰板（腰板）
８０  玉排出空間（変流機構）
８１  区画支柱
８２  上部区画板
８３  計数装置
８４  傾斜底板
８５  計数排出口
８６  カウンター台
９０  アウト玉回収底板
９１  回収壁（アウト玉変流機構）
９２  誘導壁
９３  排出開口部
９４  分散機構
９５  排出開口部
９６  仕切板
９７  排出開口部
９８  分散機構
９９  誘導変（アウト玉変流機構）
１００  段差部
１０１  変流樋
１０２  誘導壁（アウト玉変流機構）
【図１】
0004487388.tif 000002
【図２】
0004487388.tif 000003
【図３】
0004487388.tif 000004
【図４】
0004487388.tif 000005
【図５】
0004487388.tif 000006
【図６】
0004487388.tif 000007
【図７】
0004487388.tif 000008